(57)【特許請求の範囲】
【請求項１】
対向する二面を成す可撓性シート材を備え、上記二面を成す可撓性シート材の平面視において、該二面を成す可撓性シート材間の空間であって、周囲が封止されて囲繞されて成る収容部と、上記収容部を挟んで対向する、上記可撓性シート材の両端のそれぞれに把手部が外方に向かって延設され、上記二面を成す可撓性シート材の両端であって、上記把手部を設けたのと異なる互いに対向する両端のそれぞれに設けられる襠部を有し、上記可撓性シート材同士は、互いに対向する内側面どうしの所定部のみが接合されて整体される製袋容器であって、
上記襠部は、それぞれ前記二面を成す可撓性シート材間に設けられ、前記収容部の中央に向かって所定深さで折り込まれて成り、
上記収容部を囲繞する接合部であって、上記把手部を設けて成る対向する辺部は、該収容部側から外方に向かって凸状を成す略く字形状に上記接合されるく字形接合辺部と、上記く字形接合辺部の頂点部を通り、且つ、上記把手部の延設方向に対して略直交する方向に沿って上記可撓性シート材を横断して略直線的に、上記対向する二面を成す可撓性シート材どうしが接合されて成る接合端辺部とを有し、
上記把手部は、上記可撓性シート材の表裏に貫通した切り込み状及び／又は切り欠き状の取手貫通部を有し、
上記把手部の付根部分をなす上記接合端辺部から該把手部の上記貫通部までの距離が、該把手部を設けていない側の上記可撓性シートの両端間の距離の略半分よりも長く設定され、
上記襠部の把手部延設方向の端部近傍に、それぞれ接合貫通口が形成されることを特徴とする製袋容器。
【請求項２】
前記襠部の折り込み深さは、該襠部を設けて成る前記両端間の距離の略半分に設定されることを特徴とする請求項１に記載の製袋容器。
【請求項３】
前記収容部上であって、前記二面を成す可撓性シート上には、該収容部の内外に連通するスパウト部材が配設されることを特徴とする請求項１又は２に記載の製袋容器。
【発明の詳細な説明】
【技術分野】
【０００１】
本発明は、可撓性を有する製袋容器に関し、特に、ミネラルウォータ、ジュース、アルコール等との飲料等や醤油、みりん等の液体調味料、味噌汁、コーンスープ等の液状又はスラリー状の流体、或いは、工業用のり、ボンド等のスラリー状又はゲル状の流体を取り出し可能に収容する製袋容器及び製袋容器の製造方法に関する。
【背景技術】
【０００２】
従来、液体飲料や液体調味料等が、可撓性のシート材を製袋して成る製袋容器に封入されて構成される流体入り製袋容器は一般的に普及しており、工場や飲食店、家庭等で広く使用されている。その中でも大量の消費を伴う収容物である流体の場合には、輸送効率や交換効率の合理化のために、大容量の製袋容器が採用されるケースが少なくない。ところが、収容物を流体とする場合には、空隙が殆ど無いために、流体自体が有する密度と流体容器が有する密度とに差が殆ど無く、従って、大容量化に伴って線形に重量が増す。そのため、大容量の流体を収容して成る製袋容器製品は、著しく重く、取り扱いが困難となる。更に、このような製袋容器自体は、使用後の廃棄物を減容するため、薄い可撓性を有するシート材から製袋して構成されているため、流体収容後も製袋容器は柔らかく軟体物の様相を呈するため、持ち上げることが困難であることは元より、安定させて置くことさえ難しく、取り扱いがし難いものとなっている。
【先行技術文献】
【特許文献】
【０００３】
【特許文献１】特開平７−１０８２７７号公報
【発明の概要】
【発明が解決しようとする課題】
【０００４】
本発明は、以上のような課題に鑑みてなされたものであり、大容量の内容量であっても容易に持ち上げたり、移動させたり出来、安定配置させることが可能で取り扱いが容易な製袋容器及びこの製袋容器の製造方法を提供することを目的とする。
【課題を解決するための手段】
【０００５】
本発明に係る製袋容器は、対向する二面を成す可撓性シート材を備え、上記二面を成す可撓性シート材の平面視において、該二面を成す可撓性シート材間の空間であって、周囲が封止されて囲繞されて成る収容部と、上記収容部を挟んで対向する、上記可撓性シート材の両端のそれぞれに把手部が外方に向かって延設され、上記二面を成す可撓性シート材の両端であって、上記襠部は、それぞれ前記二面を成す可撓性シート材間に設けられ、前記収容部の中央に向かって所定深さで折り込まれて成り、上記収容部を囲繞する接合部であって、上記把手部を設けて成る対向する辺部は、該収容部側から外方に向かって凸状を成す略く字形状に上記接合されるく字形接合辺部と、上記く字形接合辺部の頂点部を通り、且つ、上記把手部の延設方向に対して略直交する方向に沿って上記可撓性シート材を横断して略直線的に、上記対向する二面を成す可撓性シート材どうしが接合されて成る接合端辺部とを有し、上記把手部は、上記可撓性シート材の表裏に貫通した切り込み状及び／又は切り欠き状の取手貫通部を有し、上記把手部の付根部分をなす上記接合端辺部から該把手部の上記貫通部までの距離が、該把手部を設けていない側の上記可撓性シートの両端間の距離の略半分よりも長く設定され、上記襠部の把手部延設方向の端部近傍に、それぞれ接合貫通口が形成されることを特徴とする。
【０００９】
前記襠部の折り込み深さは、該襠部を設けて成る前記両端間の距離の略半分に設定されることを特徴とする。
【００１７】
前記収容部上であって、前記二面を成す可撓性シート上には、該収容部の内外に連通するスパウト部材が配設されることを特徴とする。
【発明の効果】
【００２４】
本発明によれば、流体等の収容物を収容した製袋容器が、大容量或いは大重量であっても、収容部を挟む両端に把手部が設けられているので、ユーザーは両手を用いてそれぞれ把手部を把持して収容物を収容して成る当該製袋容器を持ち上げることが可能である。また、把手部を設けたのと異なる、例えば、把手部と直交する両端部に互いに対向する襠部を設けたことにより、対向した二つの把手部を設けることと、襠部を設けて安定性を保持しながらも大容量化するということを両立可能としている。また、略く字形に形成したく字形接合辺部を設けたことで、襠部を設けた際には特に、収容物を収容して立体化させた際の強度を高め、使用状態における製袋容器の安定性を向上することが出来るという効果がある。また、襠部の折り込み深さを、襠部を設けた対向する両端間の距離の略半分にすることを可能としたことにより、収容部の大容量化を最大化することを可能としている。また、収容部には、内外に連通したスパウト部材を配設したことにより、収容物の外部からの充填を容易化することを実現している。
【図面の簡単な説明】
【００２５】
【図１】空の状態の製袋容器を示した平面図である。
【図２】空の状態の製袋容器を示した側面図である。
【図３】満水の状態の製袋容器を示した斜視図である。
【図４】製袋容器の運搬及び保管時の一連の動作を示した概要図である。
【図５】製袋容器を給液装置に装着する際の一連の動作を示した概要図である。
【図６】製袋容器を示した分解斜視図である。
【図７】製袋容器の製造方法を示した斜視図である。
【図８】ホルダを示した正面断面図である。
【図９】製袋容器を給液装置に装着する前の状態を示した正面断面図である。
【図１０】製袋容器を給液装置に装着した状態を示した正面断面図である。
【発明を実施するための形態】
【００２６】
以下、本発明を適用した製袋容器について図面を参照して説明する。ここでは、ウォータサーバに内蔵される製袋容器を例に説明する。
【００２７】
本発明を適用した製袋容器１は、図１乃至図３に示すように、ミネラルウォータ等の流体が内部に収容可能な収容部４０と、収容部４０の側面部に設けられた一対の把手部４１，４１と、収容部４０の把手部４１と直交する側面部に設けられた襠部（ガゼット部）４２とを有する、折り畳み可能なフィルム状の袋であって、図１及び図２に示すように、折目２２に沿って完全に折り畳まれた完全折畳形態や、折目２２が少し展張された半容積形態や、図３に示すように、折目２２が完全に展張された直方体状や立方体状の完全展張形態等に設けることが出来る。
【００２８】
そして、製袋容器１は、例えば、図４に示すように、完全折畳形態の内部に流体が充填されて完全展張形態とされ、搬送箱１００等に収納されてユーザのもとに搬送される。次いで、製袋容器１は、図４に示すように、ユーザ等によって搬送箱１００から取り出されて、図５に示すように、ウォータサーバ等の給液装置１１０のトップカバ−も兼ねるホルダ１２０に収納される。次いで、製袋容器１は、ホルダ１２０に収納された状態で、給液装置１１０の装置本体１１１の上面１１１ａ等に形成されたジョイント部材１１２と連結されて、給液装置１１０に着脱可能に装着され、内部に収容されている流体を給液装置１１０に内蔵されている貯留容器（不図示）等に供給する。
【００２９】
具体的に、製袋容器１は、図１乃至図３に示すように、対向する二面を成す可撓性シート材１０ａ，１０ｂ間の空間であって、周囲が封止されて囲繞されて成る収容部４０と、収容部４０を挟んで対向し、外方に向かって延設された把手部４１，４１とを備えている。
【００３０】
収容部４０は、ミネラルウォータ等の流体が内部に収容されると、直方体状や立方体状をなすように設けられている。また、収容部４０を構成する対向する二面を成す可撓性のシート材１０ａ，１０ｂは、一方側を成す第一の可撓性シート材１０ａと、第一の可撓性シート材１０ａに対向する他方側を成す第二の可撓性シート材１０ｂとによって構成されている。
【００３１】
また、収容部４０は、二面を成す可撓性シート材１０ａ，１０ｂの両端であって、把手部４１を設けたのと異なる互いに対向する両端のそれぞれに設けられる襠部４２，４２を有している。
【００３２】
襠部４２は、それぞれ二面を成す可撓性シート材１０ａ，１０ｂ間に設けられ、収容部４０の中央に向かって所定深さで折り込まれて成る。襠部４２の折り込み深さは、例えば、襠部４２を設けて成る両端間の距離の略半分に設定される。そして、襠部４２は、それぞれ二面を成す可撓性シート材１０ａ，１０ｂとは異なる、可撓性を有する第三の可撓性シート材２０ａと、可撓性を有する第四の可撓性シート材２０ｂとによって構成されている。
【００３３】
また、製袋容器１は、第一乃至第四の可撓性シート材同士１０ａ，１０ｂ，２０ａ，２０ｂが互いに対向する内側面同士の所定部のみが接合されて整体されている。
【００３４】
例えば、製袋容器１は、収容部４０を囲繞する接合部であって、把手部４１を設けて成る対向する辺部に、収容部４０側から外方に向かって凸状を成す略く字形状に接合されるく字形接合辺部３３が設けられている。
【００３５】
更に、製袋容器１は、く字形接合辺部３３の頂点部３３ａを通り、且つ、把手部４１の延設方向に対して略直交する方向に沿って可撓性シート材１０ａ，１０ｂ，２０ａ，２０ｂを横断して略直線的に、対向する二面を成す可撓性シート材１０ａ，１０ｂ，２０ａ，２０ｂ同士が全て一体に接合されて成る接合端辺部３２を有する。そして、この接合端辺部３２は、把手部４１の付根部分を成す。
【００３６】
また、把手部４１は、可撓性シート材の表裏に貫通した切り込み状及び／又は切り欠き状の取手貫通部４３を有して構成されている。更に、例えば、把手部４１の付根部分から把手部４１の取手貫通部４３までの距離が、把手部４１を設けていない側の第三及び第四の可撓性シート材２０ａ，２０ｂの両端間の距離の略半分よりも長く設定されている。
【００３７】
また、収容部４０上であって、二面を成す第一の可撓性シート材１０ａ上には、収容部４０の内外に連通するスパウト部材５０が配設されている。例えば、このスパウト部材５０の配設位置は、収容部４０の平面視において中央部に設定されている。
【００３８】
ここで、第一乃至第四の可撓性シート材１０ａ，１０ｂ，２０ａ，２０ｂは、例えば、可撓性を有する可撓性素材によって構成され、製袋容器１は、可撓性を有するソフト容器であり、例えばポリプロピレン、ポリエチレン、ポリアミド（ナイロン）、ポリエチレンテレフタレート等の合成樹脂材料で形成された合成樹脂シートを用いて製袋した容器である。なお、製袋容器１に用いる合成樹脂シートは、同種又は異種の複数のシートの積層シートであっても良く、例えば、ポリエチレン、ポリプロピレン、ポリアミド、ポリエチレンテレフタレート等の積層シートを用いることが出来る。更に、第一乃至第四の可撓性シート材１０ａ，１０ｂ，２０ａ，２０ｂは、対向する二面を有し、ヒートシール性の高い高ヒートシール面と、ヒートシール面と反対側のヒートシール性の低い低ヒートシール面とを有している。更に、内部に収容する流体を水とする場合には、水と接する面は、臭いの発生しにくい素材を選択することが好ましい。
【００３９】
また、製袋容器１は、図６に示すように、対向配置された第一の可撓性シート材１０ａ及び第二の可撓性シート材１０ｂと、これら第一の可撓性シート材１０ａ及び第二の可撓性シート材１０ｂ間に配置され、折目２２を中心に折り畳み可能な第三の可撓性シート材２０ａ及び第四の可撓性シート材２０ｂとを備えている。
【００４０】
第一の可撓性シート材１０ａ及び第二の可撓性シート材１０ｂは、それぞれ矩形状のフィルムであって、ヒートシート性の高い高ヒートシール面１１，１１同士を向かい合わせて、対向配置されている。第三の可撓性シート材２０ａ及び第四の可撓性シート材２０ｂは、第三及び第四の可撓性シート材２０ａ，２０ｂの幅方向の中心に設けられた折目２２を中心にヒートシート性の高い高ヒートシール面２１が外側に配置されるように山折りに折り畳まれた略矩形状のフィルムであって、折目２２を中心に内側に向けて折り畳まれるように、第一の可撓性シート材１０ａ及び第二の可撓性シート材１０ｂ間に、第三及び第四の可撓性シート材２０ａ，２０ｂの長さ方向と第一及び第二の可撓性シート材１０ａ，１０ｂの長さ方向とを一致させつつ第一及び第二の可撓性シート材１０ａ，１０ｂの幅方向に並べて配置されている。
【００４１】
そして、第一の可撓性シート材１０ａ、第二の可撓性シート材１０ｂ、第三の可撓性シート材２０ａ、第四の可撓性シート材２０ｂは、次に示すようにヒートシールされて接合されることで、袋状をなすように形成されている。
【００４２】
第一の可撓性シート材１０ａ及び第二の可撓性シート材１０ｂは、それぞれ、図１及び図６に示すように、第一及び第二の可撓性シート材１０ａ，１０ｂの幅方向の縁部がヒートシールされて、第一及び第二の可撓性シート材１０ａ，１０ｂの幅方向の縁部と第三及び第四の可撓性シート材２０ａ，２０ｂの幅方向の縁部との間に第一接合縁部３０が形成されている。これにより、第一及び第二の可撓性シート材１０ａ，１０ｂは、それぞれ、第三及び第四の可撓性シート材２０ａ，２０ｂと接合されている。具体的に、第一の可撓性シート材１０ａの幅方向の縁部は、第三の可撓性シート材２０ａ及び第四の可撓性シート材２０ｂの折目２２よりも一方側の幅方向の縁部と接合され、第二の可撓性シート材１０ｂの幅方向の縁部は、第三の可撓性シート材２０ａ及び第四の可撓性シート材２０ｂの折目２２よりも他方側の幅方向の縁部と接合されている。
【００４３】
更に、第一及び第二の可撓性シート材１０ａ，１０ｂは、それぞれ、図１及び図６に示すように、第一及び第二の可撓性シート材１０ａ，１０ｂの長さ方向の縁部がヒートシールされて、第一及び第二の可撓性シート材１０ａ，１０ｂの長さ方向の縁部と第三及び第四の可撓性シート材２０ａ，２０ｂの長さ方向の縁部との間に第二接合縁部３１が形成されている。これにより、第一及び第二の可撓性シート材１０ａ，１０ｂは、それぞれ、第三及び第四の可撓性シート材２０ａ，２０ｂと接合されている。具体的に、第一の可撓性シート材１０ａの長さ方向の縁部は、第三及び第四の可撓性シート材２０ａ，２０ｂの折目２２よりも一方側の長さ方向の縁部と接合され、第二の可撓性シート材１０ｂの長さ方向の縁部は、第三及び第四の可撓性シート材２０ａ，２０ｂの折目２２よりも他方側の長さ方向の縁部と接合されている。
【００４４】
更に、第三及び第四の可撓性シート材２０ａ，２０ｂには、図１及び図６に示すように、長さ方向の端部近傍であって折目２２に対して対象の位置に、それぞれ、第一及び第二の可撓性シート材１０ａ，１０ｂ同士を接触させるための接合貫通口２３が形成されている。従って、第一の可撓性シート材１０ａは、長さ方向の縁部がヒートシールされる際に第三及び第四の可撓性シート材２０ａ，２０ｂの接合貫通口２３を介して他方の第二の可撓性シート材１０ｂの縁部と接触されて、第二の可撓性シート材１０ｂと接合されている。なお、接合貫通口２３は、第一及び第二の可撓性シート材１０ａ，１０ｂ同士を接触させることが出来れば、長孔状、矩形状、円形状、多角形状等、如何なる形状であっても良い。更に、接合貫通口２３は、対象の位置に一個形成されることに限定されるものではなく、二個以上形成されるようにしても良い。
【００４５】
更に、第一及び第二の可撓性シート材１０ａ，１０ｂには、図１及び図６に示すように、それぞれ、第一及び第二の可撓性シート材１０ａ，１０ｂの長さ方向の両端部から所定長さ内側の位置に、外方に向かって凸状を成す略く字形状にヒートシールされて、第一及び第二の可撓性シート材１０ａ，１０ｂと第三及び第四の可撓性シート材２０ａ，２０ｂとの間にく字形接合辺部３３が形成されている。
【００４６】
更に、第一及び第二の可撓性シート材１０ａ，１０ｂは、図１及び図６に示すように、それぞれ、く字形接合辺部３３の頂点部を通り、且つ、把手部４１の延設方向に対して略直交する方向（第一及び第二の可撓性シート材１０ａ，１０ｂの幅方向）に沿って略直線的にヒートシールされて、第一の可撓性シート材１０ａ、第二の可撓性シート材１０ｂ、と第三の可撓性シート材２０ａ、第四の可撓性シート材２０ｂを横断して接合端辺部３２が形成されている。これにより、第一乃至第四の可撓性シート材１０ａ，１０ｂ，２０ａ，２０ｂが全て一体に接合されている。
【００４７】
以上のように、第一乃至第四の可撓性シート材１０ａ，１０ｂ，２０ａ，２０ｂは、ヒートシールされて第一接合縁部３０及び接合端辺部３２が形成されて接合されることで、袋状をなすように形成されている。具体的に、第一乃至第四の可撓性シート材１０ａ，１０ｂ，２０ａ，２０ｂと第一接合縁部３０と接合端辺部３２とく字形接合辺部３３とで囲繞される空間が袋状をなして、図３に示すように、内部に流体が収容可能な収容部４０となる。
【００４８】
また、図１及び図６に示すように、第一及び第二の可撓性シート材１０ａ，１０ｂの長さ方向の端部近傍の第二接合縁部３１と接合端辺部３２との間には、第一及び第二の可撓性シート材１０ａ，１０ｂの幅方向に沿って長尺な切り込み状及び／又は切り欠き状の第一乃至第四の可撓性シート材１０ａ，１０ｂ，２０ａ，２０ｂの表裏に貫通した取手貫通部４３が形成されている。図３に示すように、製袋容器１の収容部４０内に流体が収容されて直方体状や立方体状の完全展張形態になると、第一乃至第四の可撓性シート材１０ａ，１０ｂ，２０ａ，２０ｂの接合端辺部３２よりも長さ方向の端部側の部分は、収容部４０の側面部４０ｅ，４０ｆから第一及び第二の可撓性シート材１０ａ，１０ｂの長さ方向に外方に張り出して、製袋容器１を梱包作業者が搬送箱１００に梱包する際や搬送箱１００からユーザが取り出す際などに把持する把手部４１となる。すなわち、接合端辺部３２は、把手部４１の付根部分を成す。これにより、梱包作業者は、把手部４１の取手貫通部４３に指等を入れて、両手で取手貫通部４３よりも端部側（外側）の部位から成る取手部４４を把持することで、製袋容器１を容易に搬送箱１００に梱包することが出来る。更に、ユーザは、把手部４１の取手貫通部４３に指等を入れて、両手で取手貫通部４３よりも端部側（外側）の部位から成る取手部４４を把持することで、製袋容器１を容易に搬送箱１００から取り出すことが出来る。
【００４９】
更に、図１及び図３に示すように、把手部４１は、接合端辺部３２から、製袋容器１が完全展張形態となって全体として直方体状や立方体状となった場合の第一主面部４０ａ（第二主面部４０ｂ）と側面部４０ｅ，４０ｆとの境界線Ｂまでの長さよりも長くなるように形成される。具体的に、把手部４１は、製袋容器１が完全展張形態となって収容部４０の全体として直方体状や立方体状となった場合に第二主面部４０ｂ側に折り曲げたときに、取手貫通部４３が第二主面部４０ｂ上に配置されるような長さに形成されている。把手部４１を折り曲げた際に取手貫通部４３が第二主面部４０ｂ上に配置されずに側面部４０ｅ，４０ｆ上に配置されていると、製袋容器１を搬送箱１００から取り出す際にユーザの手が搬送箱１００と干渉して把手部４１を把持し難く、更に、製袋容器１を搬送箱１００に収納する際に作業者の手が搬送箱１００と干渉して収納し難い。
【００５０】
また、図１及び図６に示すように、一方の第一の可撓性シート材１０ａ上は、第一主面部４０ａの長さ方向及び幅方向の略中心に位置に、収容部４０の内外に連通し、流体を製袋容器１内に充填すると共に内部に収容した流体を外部に供給する際の注ぎ口となり、給液装置１１０のジョイント部材１１２と接続する接続部ともなるスパウト部材５０が接合等されて一体に取り付けられている。なお、このスパウト部材５０は、例えば製袋容器１の内部にミネラルウォータ等の流体が収容された後にキャップや栓等の閉塞手段５１（図９及び図１０参照。）によって開封可能に閉塞される。
【００５１】
以上のような構成を有する製袋容器１は、スパウト部材５０等から収容部４０内に流体が収容されると、図３に示すように、折目２２が完全に展張された完全展張形態となって収容部４０が全体として直方体状や立方体状となる。この際、第一の可撓性シート材１０ａ及び第二の可撓性シート材１０ｂは、直方体状や立方体状の収容部４０のスパウト部材５０を有する第一主面部４０ａ、第一主面部４０ａと対向する第二主面部４０ｂ、第一主面部４０ａ（第二主面部４０ｂ）の長さ方向の左側面部４０ｅ及び右側面部４０ｆを構成する。第三の可撓性シート材２０ａ及び第四の可撓性シート材２０ｂは、第一主面部４０ａ（第二主面部４０ｂ）の幅方向の前側面部４０ｃ及び後側面部４０ｄを構成する。更に、第一乃至第四の可撓性シート材１０ａ，１０ｂ，２０ａ，２０ｂは、左側面部４０ｅ及び右側面部４０ｆに形成される一対の把手部４１，４１を構成する。また、製袋容器１は、完全展張形態となって収容部４０が全体として直方体状や立方体状となっているので、収容部４０の第一主面部４０ａ及び第二主面部４０ｂが平坦に形成されている。従って、製袋容器１は、収容部４０の平坦な第一主面部４０ａや第二主面部４０ｂを床等に当接させて配置することで、安定させて置くことが出来、安定的に保管及び搬送することが出来る。
【００５２】
また、製袋容器１は、完全展張形態となった場合に収容部４０が全体として立方体状となることがより好ましい。この場合、図１に示すように、一方の第一の可撓性シート材１０ａのスパウト部材５０から第一及び第二の可撓性シート材１０ａ，１０ｂの幅方向の端部までの長さを「Ｌ」としたときに、第一の可撓性シート材１０ａのスパウト部材５０から第一及び第二の可撓性シート材１０ａ，１０ｂの長さ方向の第一主面部４０ａと側面部４０ｅ，４０ｆとの境界線Ｂまでの長さと、この境界線Ｂから接合端辺部３２までの長さとを、同じ「Ｌ」とし、接合端辺部３２から第一の可撓性シート材１０ａの長さ方向の端部までの長さを、「Ｌ」よりも長い「Ｌ＋α」とする。すなわち、第一の可撓性シート材１０ａは、全体として、幅方向の長さが「２Ｌ」となり、長さ方向の長さが「６Ｌ＋２α」となる。更に、スパウト部材５０は、収容部４０の平面視において中央部に配置される。同様に、第二の可撓性シート材１０ｂは、全体として、幅方向の長さを「２Ｌ」とし、長さ方向の長さを「６Ｌ＋２α」とし、第二主面部４０ｂと側面部４０ｅ，４０ｆとの境界線Ｂ，Ｂ間の長さを「２Ｌ」と、境界線Ｂから接合端辺部３２までの長さとを、「Ｌ」とし、接合端辺部３２から第二の可撓性シート材１０ｂの長さ方向の端部までの長さを、「Ｌ」よりも長い「Ｌ＋α」とする。第三の可撓性シート材２０ａ及び第四の可撓性シート材２０ｂは、第一及び第二の可撓性シート材１０ａ，１０ｂと同様に、全体として、幅方向の長さを「２Ｌ」とし、長さ方向の長さを「６Ｌ＋２α」とする。更に、第三及び第四の可撓性シート材２０ａ，２０ｂは、折目２２から幅方向の端部までの長さを「Ｌ」とする。以上のように、可撓性シート材１０ａ，１０ｂ，２０ａ，２０ｂを設けることで、製袋容器１は、完全展張形態となった場合に全体として立方体状となる。
【００５３】
次に、製袋容器１の製造方法ついて説明する。
【００５４】
先ず、第一の可撓性シート材１０ａの適宜部位にスパウト部材取付穴が穿設されると共に、このスパウト部材取付穴にスパウト部材５０が接合される。
【００５５】
具体的に、製袋容器１を構成する長尺状の第一の可撓性シート材１０ａは、取付穴穿設手段（不図示）によって、第一及び第二の可撓性シート材１０ａ，１０ｂの長さ方向に所定の間隔をあけてスパウト部材取付穴が連続的に穿設されて、各スパウト部材取付穴にスパウト接合手段（不図示）によってスパウト部材５０が連続的に接合される。一例としては、第一及び第二の可撓性シート材１０ａ，１０ｂの幅方向の中心から端部までの長さを「Ｌ」としたときに、第一の可撓性シート材１０ａに、「６Ｌ＋２α」の長さ毎にスパウト部材取付穴が穿設されて、各スパウト部材取付穴にスパウト部材５０が接合される。
【００５６】
更に、製袋容器１を構成する長尺状の第三第四の可撓性シート材２０ａ，２０ｂは、接合貫通口形成手段（不図示）によって、長さ方向に所定の間隔をあけて第一及び第二の可撓性シート材１０ａ，１０ｂ同士を接触させるための接合貫通口２３が形成される。
【００５７】
次いで、製袋容器１を構成する長尺状の第一乃至第四の可撓性シート材１０ａ，１０ｂ，２０ａ，２０ｂが搬送ローラ（不図示）によって搬送されると共に、位置決めされつつ、重ね合わされて、次のように配置される。
【００５８】
具体的に、図７に示すように、第一及び第二の可撓性シート材１０ａ，１０ｂは、ヒートシート性の高い高ヒートシール面１１，１１同士を向かい合わせて対向して配置される。ここでは、第一の可撓性シート材１０ａが上方に配置され、第二の可撓性シート材１０ｂが下方に配置されている。なお、第一の可撓性シート材１０ａが下方に配置され、第二の可撓性シート材１０ｂが上方に配置されるようにしても良い。更に、製袋容器１を構成する長尺状の第三及び第四の可撓性シート材２０ａ，２０ｂは、第三及び第四の可撓性シート材２０ａ，２０ｂの幅方向の略中心に設けられた折目２２を中心に第一及び第二の可撓性シート材１０ａ，１０ｂの幅方向の中央に向かって凸状となるように山折りに二つ折りされて、ヒートシート性の高い高ヒートシール面２１が外側に配置された状態で、互いの山部が内側で互いに対向するように、第一及び第二の可撓性シート材１０ａ，１０ｂ間に、第三及び第四の可撓性シート材２０ａ，２０ｂの長さ方向と第一及び第二の可撓性シート材１０ａ，１０ｂの長さ方向とを一致させつつ第一及び第二の可撓性シート材１０ａ，１０ｂの幅方向に並べて配置される。
【００５９】
次いで、第一の可撓性シート材１０ａ、第二の可撓性シート材１０ｂ、第三の可撓性シート材２０ａ、第四の可撓性シート材２０ｂが、接合手段（不図示）によって、ヒートシール等されて適宜部位同士が接合されて、内部に流体が収容可能な収容部４０が形成される。
【００６０】
具体的に、図７に示すように、第一及び第二の可撓性シート材１０ａ，１０ｂの幅方向の縁部が第一接合手段（不図示）によってそれぞれ接合されて、第一及び第二の可撓性シート材１０ａ，１０ｂの幅方向の縁部と第三及び第四の可撓性シート材２０ａ，２０ｂの幅方向の縁部との間に第一接合縁部３０が形成されて、第一及び第二の可撓性シート材１０ａ，１０ｂの幅方向の縁部が第三及び第四の可撓性シート材２０ａ，２０ｂの幅方向の縁部とそれぞれ接合される。
【００６１】
更に、第一及び第二の可撓性シート材１０ａ，１０ｂに、第二接合手段（不図示）によって、第一及び第二の可撓性シート材１０ａ，１０ｂの長さ方向に所定の間隔をあけて第一及び第二の可撓性シート材１０ａ，１０ｂの幅方向に沿って直線的に接合されて、図７に示すように、第一及び第二の可撓性シート材１０ａ，１０ｂと第三及び第四の可撓性シート材２０ａ，２０ｂとの間に第二接合縁部３１が形成されて、第一及び第二の可撓性シート材１０ａ，１０ｂが第三及び第四の可撓性シート材２０ａ，２０ｂと第一及び第二の可撓性シート材１０ａ，１０ｂの長さ方向に所定の間隔をあけてそれぞれ接合される。更に、第一及び第二の可撓性シート材１０ａ，１０ｂは、第三及び第四の可撓性シート材２０ａ，２０ｂの接合貫通口２３を介して接触されて、互いに接合される。一例としては、第二接合縁部３１は、第一及び第二の可撓性シート材１０ａ，１０ｂ及び第三及び第四の可撓性シート材２０ａ，２０ｂに、各スパウト部材５０から第一及び第二の可撓性シート材１０ａ，１０ｂの長さ方向の一端側に３Ｌ＋αの長さだけ偏倚した位置に形成されると共に、他端側に３Ｌ＋αの長さだけ偏倚した位置に、それぞれ所定の幅を有して形成される。
【００６２】
更に、第一及び第二の可撓性シート材１０ａ，１０ｂの長さ方向の所定の位置に、第三接合手段（不図示）によって、第一及び第二の可撓性シート材１０ａ，１０ｂの幅方向に沿って略直線的に接合されて、図７に示すように、接合端辺部３２が連続的に形成されて、第一乃至第四の可撓性シート材１０ａ，１０ｂ，２０ａ，２０ｂの全てが一体に接合される。一例としては、接合端辺部３２は、第一及び第二の可撓性シート材１０ａ，１０ｂに、各スパウト部材５０から第一及び第二の可撓性シート材１０ａ，１０ｂの長さ方向の一端側に「２Ｌ」の長さだけ偏倚した位置に形成されると共に、他端側に「２Ｌ」の長さだけ偏倚した位置に、それぞれ所定の幅を有して形成される。
【００６３】
更に、第一及び第二の可撓性シート材１０ａ，１０ｂの長さ方向の所定の位置に、第四接合手段（不図示）によって、略直線的に接合されて、図７に示すように、第一及び第二の可撓性シート材１０ａ，１０ｂの長さ方向に対して外方に向かって凸状をなす、く字形状（Ｖ字形状）のく字形接合辺部３３が形成されて、第一及び第二の可撓性シート材１０ａ，１０ｂが第三及び第四の可撓性シート材２０ａ，２０ｂとそれぞれ接合される。
【００６４】
次いで、第一乃至第四の可撓性シート材１０ａ，１０ｂ，２０ａ，２０ｂには、所定部位に、把手部を成す切り込み状及び／又は切り欠き状の取手貫通部４３が取手貫通部形成手段（不図示）によって形成される。一例としては、取手貫通部４３は、第一及び第二の可撓性シート材１０ａ，１０ｂの第二接合縁部３１と接合端辺部３２との間の長さ方向の両端部近傍にそれぞれ幅方向に沿って形成される。
【００６５】
次いで、第一乃至第四の可撓性シート材１０ａ，１０ｂ，２０ａ，２０ｂは、切断手段（不図示）によって、所定の長さに連続的に切断される。一例としては、第一乃至第四の可撓性シート材１０ａ，１０ｂ，２０ａ，２０ｂは、各スパウト部材５０から第一及び第二の可撓性シート材１０ａ，１０ｂの長さ方向の一端側に３Ｌ＋αの長さ位置で切断されると共に、他端側に３Ｌ＋αの長さ位置で切断され、全体として「６Ｌ＋２α」の長さに形成される。
【００６６】
以上のようにして、製袋容器１は、製造することが出来、上述した一連の工程を連続的に行うことで、連続的に作出されて量産することが出来る。
【００６７】
次に、製袋容器１が上述したように製造されてからユーザのウォータサーバ等の給液装置１１０に装着されるまでの一連の動作について説明する。
【００６８】
先ず、製袋容器１は、飲料メーカー等によって、スパウト部材５０等を介して収容部４０内に流体が収容されると、図１に示すような完全折畳形態から、図３に示すような折目２２が完全に展張された完全展張形態となって、収容部４０が直方体状や立方体状となる。
【００６９】
次いで、製袋容器１は、図４に示すように、梱包作業者等によって、搬送箱１００等に収納されて梱包される。具体的に、製袋容器１は、直方体状又は立方体状の収容部４０の第二主面部４０ｂ側に折り曲げられて把手部４１が把持されて、スパウト部材５０を有する第一主面部４０ａが下方に向けられて挿入面として挿入されて、搬送箱１００に収納されて梱包される。この際、製袋容器１は、把手部４１の取手貫通部４３が収容部４０の第二主面部４０ｂ上に配置されるようにしておく。
【００７０】
次いで、搬送箱１００に梱包された製袋容器１は、図４に示すように、上下が反転されて、平坦な第二主面部４０ｂを下方に向けた状態で保管され、その後、搬送作業者等によって、ユーザのもとに搬送される。この際、製袋容器１は、保管時と同様に、平坦な第二主面部４０ｂを下方に向けた状態で搬送される。そして、製袋容器１は、ユーザによって、平坦な第二主面部４０ｂを下方に向けた状態で保管される。
【００７１】
次いで、製袋容器１は、図４に示すように、ユーザ等によって搬送箱１００から取り出される。具体的に、製袋容器１は、ユーザ等によって上下が反転されて、平坦な第二主面部４０ｂが下方を向いた状態から上方を向いた状態に設けられる。次いで、製袋容器１は、把手部４１の取手貫通部４３が第二主面部４０ｂ上に配置されているので、ユーザ等によって把手部４１が把持されて上方に持ち上げられて搬送箱１００から取り出される。
【００７２】
次いで、製袋容器１は、図５に示すように、ユーザ等によって給液装置１１０のホルダ１２０に収納される。そして、ホルダ１２０に収納された製袋容器１は、ユーザ等によって、給液装置１１０の装置本体１１１の上面１１１ａ等に形成されたジョイント部材１１２と連結されて、給液装置１１０に着脱可能に装着される。
【００７３】
ここで、ホルダ１２０は、図８に示すように、内部に製袋容器１が収納可能な収納部１２３を有する上面が開口された箱部材１２１と、この箱部材１２１の上面の開口を閉塞する蓋部材１２２とで構成されている。箱部材１２１は、直方体状又は立方体状に形成され、上面が開口されており、この開口から内部の収納部１２３に製袋容器１が収納される。蓋部材１２２は、板状に形成されており、箱部材１２１と別体又はヒンジ部等を介して一体に設けられ、箱部材１２１の開口を開放可能に閉塞する。
【００７４】
また、箱部材１２１の底面部１２１ｂには、図８に示すように、製袋容器１のスパウト部材５０が挿通されて底面部１２１ｂの下方から露出させるホルダ貫通孔１２４が形成されている。このホルダ貫通孔１２４の内周面部には、スパウト部材５０に取り付けられた閉塞手段５１の外周面部又はスパウト部材５０の外周面部に形成された凸状又は凹状のスパウト嵌合部５２に嵌合される凸状のホルダ嵌合部１２４ａが形成されている。このホルダ嵌合部１２４ａは、例えば、ホルダ貫通孔１２４の内周部にリング状に形成されている。そして、ホルダ嵌合部１２４ａは、図９に示すように、製袋容器１が収納部１２３に収容されてスパウト部材５０及び閉塞手段５１がホルダ貫通孔１２４に挿通されると、閉塞手段５１又はスパウト部材５０のスパウト嵌合部５２に嵌合される。これにより、製袋容器１は、スパウト部材５０に取り付けられた閉塞手段５１と給液装置１１０のジョイント部材１１２とが連結される際にジョイント部材１１２によって上方に押圧されても、ホルダ１２０に対して上方に移動することを防止出来、確実に閉塞手段５１とジョイント部材１１２とを連結させることが出来る。その一方で、ホルダ嵌合部１２４ａは、製袋容器１を収納部１２３から取り出すために、製袋容器１が所定の力以上で上方に持ち上げられると、一時的に外側に広がり、閉塞手段５１又はスパウト部材５０のスパウト嵌合部５２との嵌合状態が解除される。
【００７５】
また、図８に示すように、箱部材１２１の底面部１２１ｂは、ホルダ貫通孔１２４に近接するに連れて下方に下がるように傾斜している。これにより、箱部材１２１の底面部１２１ｂは、閉塞手段５１及びスパウト部材５０をホルダ貫通孔１２４に挿通する際に、閉塞手段５１及びスパウト部材５０をホルダ貫通孔１２４に導くガイド部として機能し、閉塞手段５１及びスパウト部材５０をホルダ貫通孔１２４に容易且つ確実に挿通させることが出来る。
【００７６】
また、図８に示すように、箱部材１２１の底面部１２１ｂの縁部の全周には、下方に張り出した張出部１２５が形成されている。この張出部１２５は、図９に示すように、給液装置１１０の装置本体１１１の上面１１１ａを含む上端部が内部に挿入されると共に、張出部１２５の先端部が、上面１１１ａの縁部に形成された係合段部１１３と係合される。これにより、製袋容器１は、ホルダ１２０に収納された製袋容器１を給液装置１１０に装着する際に、例えば閉塞手段５１及びスパウト部材５０の中心軸とジョイント部材１１２の中心軸とが一致するように位置決めされる。
【００７７】
また、図８に示すように、箱部材１２１の側面部１２１ｃの底面部１２１ｂ側には、内側に凹んで張出部１２５内に突設された把持係合部１２６が形成されている。この把持係合部１２６は、例えば、箱部材１２１の対向する一対の側面部１２１ｃ又は全ての側面部１２１ｃに形成されている。そして、把持係合部１２６は、ホルダ１２０をユーザ等が給液装置１１０から取り外す際又は取り付ける際に外側から指を入れることが出来て把手部として機能する。更に、把持係合部１２６は、張出部１２５内に向けて突設されているので、図９及び図１０に示すように、ホルダ１２０に収納された製袋容器１を給液装置１１０に装着するために張出部１２５内に給液装置１１０の装置本体１１１の上端部が挿入される際に、上面１１１ａの把持係合部１２６と対向する位置に形成された凹状の本体嵌合部１１４に嵌合される。これにより、製袋容器１は、ホルダ１２０に収納された製袋容器１を給液装置１１０に装着する際に、例えば、閉塞手段５１及びスパウト部材５０の中心軸とジョイント部材１１２の中心軸とが一致するように位置決めされる。
【００７８】
すなわち、製袋容器１は、ユーザ等によって、ホルダ１２０の把持係合部１２６が把持されて、ホルダ１２０が給液装置１１０から取り外されて、箱部材１２１から蓋部材１２２が取り外されて、箱部材１２１の上面が開口される。その後、製袋容器１は、ユーザ等によって、把手部４１が把持されて、スパウト部材５０を有する収容部４０の第一主面部４０ａが下方に向けられて挿入面として箱部材１２１の収納部１２３に挿入されて、閉塞手段５１又はスパウト部材５０のスパウト嵌合部５２がホルダ貫通孔１２４のホルダ嵌合部１２４ａと嵌合される。その後、製袋容器１は、ユーザ等によって、蓋部材１２２で箱部材１２１の開口が閉塞されることで、ホルダ１２０に収納される。
【００７９】
次いで、製袋容器１は、ユーザ等によって、張出部１２５内に給液装置１１０の装置本体１１１の上端部を挿入させて位置決めされると共に、張出部１２５内に向けて突設された把持係合部１２６が給液装置１１０の装置本体１１１の上面１１１ａに形成された本体嵌合部１１４に嵌合されて位置決めされつつ、張出部１２５の先端部が、上面１１１ａの係合段部１１３と係合されることで、給液装置１１０の装置本体１１１の上面１１１ａに装着される。この際、製袋容器１は、スパウト部材５０に取り付けられた閉塞手段５１と給液装置１１０のジョイント部材１１２とが連結される。その後、製袋容器１は、ジョイント部材１１２を介して、内部に収容されている流体を給液装置１１０に内蔵されている貯留容器（不図示）等に供給する。そして、製袋容器１は、内部に収容している流体の減少に伴って、折目２２を中心に漸次折り畳まれて減容することで、外気の出入りを伴うことなく最後まで流体を貯留容器（不図示）に流すことが出来る。
【００８０】
以上のような製袋容器１は、収容部４０を挟む両端に把手部４１，４１が設けられているので、ユーザー等は両手を用いてそれぞれ把手部４１，４１を把持することで、収容した流体等の収容物が大容量或いは大重量であっても、収容物を収容して成る当該製袋容器１を容易に持ち上げることが出来る。従って、製袋容器１は、容易に製袋容器１を搬送箱１００から取り出すことが出来、容易に製袋容器１を搬送箱１００に収納することが出来る。よって、製袋容器１は、大容量の内容量であっても容易に持ち上げたり、移動させたり出来、容易に取り扱うことが出来る。
【００８１】
また、製袋容器１は、把手部４１を設けたのと異なる、例えば、把手部４１と直交する両端部に互いに対向する襠部４２，４２を設けたことにより、対向した二つの把手部４１，４１を設けることと、襠部４２，４２を設けて安定性を保持しながらも大容量化することを両立出来る。
【００８２】
また、製袋容器１は、略く字形に形成したく字形接合辺部３３を設けたことで、襠部４２を設けていても、収容物を収容して立体化させた際の強度を高めることが出来、使用状態における製袋容器１の安定性を向上することが出来る。
【００８３】
また、製袋容器１は、襠部４２の折り込み深さを、襠部４２を設けた対向する両端間の距離の略半分にすることを可能としたことにより、収容部の大容量化を最大化することが出来る。
【００８４】
また、製袋容器１は、収容部４０に内外に連通したスパウト部材５０を配設したことにより、収容物の外部から容易に充填することが出来る。
【００８５】
また、製袋容器１は、可撓性素材を用いて、容積を可変とする容量可変容器として構成したことで、外気の出入りを伴うことなく給液装置の貯留槽に対して流体を供給させることが可能となり、また、製袋容器１は、流体が吐出されても、容量可変容器の容積が変化するだけで内部に外気が取り入れられることがない。従って、本発明によれば、極めて簡易で低コストな構成でありながら、製袋容器内に雑菌が侵入することを防止することが出来、長期に亘って良好な衛生状態を維持することが出来る。
【００８６】
また、把手部４１の付根部分から把手部４１の取手貫通部４３までの距離が、把手部４１を設けていない側の可撓性シート２０ａ，２０ｂの両端間の距離の略半分よりも長く設定されている。すなわち、把手部４１は、製袋容器１が完全展張形態となって収容部４０が全体として直方体状や立方体状となった場合に取手貫通部４３が第二主面部４０ｂ上に配置されるような長さに形成されている。従って、製袋容器１は、梱包作業者の手が搬送箱１００に干渉することを防止出来るので、容易に製袋容器１を搬送箱１００に収納することが出来、更に、ユーザの手が搬送箱１００に干渉することを防止出来るので、容易に製袋容器１を搬送箱１００から取り出すことが出来る。よって、製袋容器１は、大容量の内容量であっても容易に持ち上げたり、移動させたり出来、容易に取り扱うことが出来る。
【００８７】
また、製袋容器１は、ホルダ１２０に収納され、ホルダ１２０を介して給液装置１１０に着脱可能に装着されるので、可撓性素材によって構成される可撓性を有する容器であっても、容易に位置決めすることが出来る。従って、製袋容器１は、正確且つ確実に、ジョイント部材１１２に装着することが出来る。
【００８８】
また、製袋容器１は、収容部が内部に流体が収容されると立方体をなすので、９０度角度を異ならせてもホルダ１２０内に収納することが出来、作業性が良い。更に、製袋容器１は、ホルダ１２０も同様に立方体をなすように形成することで、９０度角度を異ならせても給液装置１１０に装着することが出来、作業性が良い。
【００８９】
なお、製袋容器１は、第一乃至第四の可撓性シート材１０ａ，１０ｂ，２０ａ，２０ｂの４つの部材で構成されることに限定されるものではなく、一対の面状部と一対のマチ部とを有する一つの筒状部材で構成されるようにしても良い。すなわち、第一接合縁部３０を形成する工程が省略することが出来、作業性が良い。
【００９０】
また、製袋容器１は、流体として、水やミネラルウォータ等の他に、ジュース、アルコール等との飲料等や醤油、みりん等の液体調味料、味噌汁、コーンスープ等の液状又はスラリー状の流体、或いは、工業用のり、ボンド等のスラリー状又はゲル状の流体を取り出し可能に収容するようにしても良い。
【００９１】
また、給液装置１１０は、ジョイント部材１１２が装置本体１１１の上面１１１ａの凹部又は上面１１１ａに取り付けられることに限定されるものではなく、装置本体１１１の下部に形成された空間部内の一側面又はこの空間部内に摺動機構によって摺動可能に設置された摺動板上に取り付けられるようにしても良い。この場合には、下部に形成された空間部に製袋容器１を収納することが出来るので、ジョイント部材１１２が装置本体１１１の上面１１１ａの凹部又は上面１１１ａに取り付けられている場合よりも、製袋容器１を持ち上げる負担を軽減することが出来、容易に製袋容器１の取り付けを行うことが出来る。
【符号の説明】
【００９２】
１  製袋容器、１０ａ  第一の可撓性シート材、１０ｂ  第二の可撓性シート材、１１  ヒートシール面、２０ａ、第三の可撓性シート材、２０ｂ  第四の可撓性シート材、２１  ヒートシール面、２２  折目、２３  接合貫通口、３０  第一接合縁部、３１  第二接合縁部、３２  接合端辺部、３３  く字形接合辺部、３３ａ  頂点部、４０  収容部、４０ａ  第一主面部、４０ｂ  第二主面部、４０ｃ  前側面部、４０ｄ  後側面部、４０ｅ  左側面部、４０ｆ  右側面部、４１  把手部、４２  襠部、４３  取手貫通部、４４  取手部、５０  スパウト部材、５１  閉塞手段、５２  スパウト嵌合部、１００  搬送箱、１１０  給液装置、１１１  装置本体、１１１ａ  上面、１１２  ジョイント部材、１１３  係合段部、１１４  本体嵌合部、１２０  ホルダ、１２１  箱部材、１２１ｂ  底面部、１２１ｃ  側面部、１２２  蓋部材、１２３  収納部、１２４  ホルダ貫通孔、１２４ａ  ホルダ嵌合部、１２５  張出部、１２６  把持係合部
【図１】
0006473906.tif 000002
【図２】
0006473906.tif 000003
【図３】
0006473906.tif 000004
【図４】
0006473906.tif 000005
【図５】
0006473906.tif 000006
【図６】
0006473906.tif 000007
【図７】
0006473906.tif 000008
【図８】
0006473906.tif 000009
【図９】
0006473906.tif 000010
【図１０】
0006473906.tif 000011